(57)【要約】【課題】造花の茎部を枝部に容易に取着することができ、茎部の外観も実際の植物のように見せることができる植物型装飾体を提供する。【解決手段】  この植物型装飾体は、造花１または人造葉２の茎部をヘアーピン３に取着した植物型装飾体である。茎部とヘアーピン３が熱収縮チューブ４により外周部を包囲されて収縮結合されている。【選択図】図１
2007262633.tif 000002
【特許請求の範囲】
【請求項１】
造花または人造葉の茎部を線状体に取着した植物型装飾体であって、
該茎部と線状体が熱収縮チューブにより外周部を包囲されて収縮結合されたことを特徴とする植物型装飾体。
【請求項２】
前記線状体としてヘアーピンが使用され、前記熱収縮チューブ内に前記造花または人造葉の茎部が該ヘアーピンと共に挿入され、該熱収縮チューブの熱収縮により該茎部と該ヘアーピンが締結されて花飾りが形成されることを特徴とする請求項１記載の植物型装飾体。
【請求項３】
前記線状体としてコサージュの枝部が形成され、該枝部に安全ピンが取着され、該コサージュの造花または人造葉の茎部が該枝部と共に前記熱収縮チューブ内に挿入され、該熱収縮チューブの熱収縮により該枝部と茎部が締結されてコサージュが形成されることを特徴とする請求項１記載の植物型装飾体。
【請求項４】
前記熱収縮チューブの外周部にナシ地及び植物色を付して、茎状の熱収縮チューブとしたことを特徴とする請求項１乃至３記載の植物型装飾体。
【発明の詳細な説明】
【技術分野】
【０００１】
本発明は、髪に挿して使用する造花を用いた花飾り、或は胸などに安全ピンで留めて使用される造花を用いたコサージュなどの植物型装飾体に関する。
【背景技術】
【０００２】
例えば、髪に挿して使用する花飾りは、通常、ヘアーピンの曲折部近傍に、造花装飾物の茎部を沿わせて配置し、その茎部とヘアーピンの一部を、細い金属線を巻き付け、捲着して製作されている。また、造花を用いたアートフラワーは、下記特許文献１に記載されるように、造花と枝部とを金属線で結束するように捲着し、製作されている。
【特許文献１】実用新案登録第３０７３８２６号公報
【発明の開示】
【発明が解決しようとする課題】
【０００３】
ところで、髪に挿す花飾り、或は造花を用いたコサージュは、それを使用者が自分で作るための各部材が販売され、一般の人が自分の好みにあった造花や人造葉、或いはそれらを含む花飾りなどのキットを購入し、それらを用いて花飾りなどを、家庭で作ることが行なわれている。
【０００４】
しかし、従来のこのような金属線を茎部に巻付けて、造花をヘアーピンや枝部に捲着する作業は、非常に煩雑で手間がかかり、慣れていない一般の人にとっては、難しいものであった。
【０００５】
また、造花の茎部に巻き付けた金属線は、塗装が施されてない場合、金属色が目立つこととなり、さらにその上から茎色に着色した紙を巻き付ける必要があり、手間がかかるという不具合があった。
【０００６】
本発明は、上記の点に鑑みなされたもので、造花の茎部を枝部などに容易に取着することができ、茎部の外観も実際の植物のように見せることができる植物型装飾体を提供することを目的とする。
【課題を解決するための手段】
【０００７】
上記の目的を達成するために、本発明の植物型装飾体は、造花または人造葉の茎部を線状体に取着した植物型装飾体であって、該茎部と線状体が熱収縮チューブにより外周部を包囲されて収縮結合されたことを特徴とする。なお、上記茎部は枝部を含む概念である。
【０００８】
ここで、上記線状体としてヘアーピンを使用し、上記熱収縮チューブ内に造花または人造葉の茎部をヘアーピンと共に挿入し、熱収縮チューブの熱収縮により茎部とヘアーピンを締結して花飾りとすることができる。
【０００９】
また、上記線状体としてコサージュの枝部を使用し、枝部に安全ピンを取着し、コサージュの造花または人造葉の茎部を枝部と共に熱収縮チューブに挿入し、熱収縮チューブの熱収縮により茎部と枝部を締結してコサージュを形成することができる。
【００１０】
また、上記の植物型装飾体にあっては、熱収縮チューブの外周部にナシ地を形成すると共に、植物色を付して茎状の熱収縮チューブとすることができる。
【発明の効果】
【００１１】
上記構成の植物型装飾体によれば、茎部と線状体が熱収縮チューブにより包囲されその熱収縮により締結されるから、従来のように、細い金属線を巻回して捲着していた場合に比べ、非常に簡単に且つ効率よく花飾りやコサージュを製作することができる。
【００１２】
また、一般の人が花飾りやコサージュのキットを購入して自分で造花の茎部とヘアーピンなどの線状体を締結する際、茎部と線状体をチューブに挿入した状態で、ドライヤーなどを用いて熱収縮チューブに熱を加えて収縮するだけの簡単な操作により、花飾りやコサージュ簡単に作ることができる。
【００１３】
さらに、熱収縮チューブの外周部にナシ地と植物色を付した茎状熱収縮チューブを使用することにより、違和感のない外観の茎部とすることができ、合成樹脂製の熱収縮チューブに拘らず、実際の植物の茎に近い状態の茎部を形成することができる。
【発明を実施するための最良の形態】
【００１４】
以下、本発明の一実施形態を図面に基づいて説明する。図１は造花を用いた花飾りを示し、図２、図３はその分解斜視図を示している。
【００１５】
この花飾りは、髪に挿して使用する花飾りであり、金属線をＵ字状に曲折して形成されたヘアーピン３の曲折部近傍に、熱収縮チューブ４を用いて造花１付きの人造葉２を取り付けて構成される。
【００１６】
熱収縮チューブ４には、合成樹脂製熱収縮チューブが使用され、その熱収縮チューブ４の外周部は、植物の茎に似た外観が得られるように、例えばナシ地が形成されると共に、植物色（緑系色、茶系色または赤系色など）に着色されている。
【００１７】
熱収縮チューブ４の具体例としては、例えば約９０℃〜９５℃で５〜１０秒間加熱して、チューブ内径が４０〜５０％収縮する性能のポリ塩化ビニル系熱収縮チューブを使用することができる。
【００１８】
またこの他に、ポリオレフィン系熱収縮チューブ、シリコンゴム系熱収縮チューブ、或いはフッ素樹脂系熱収縮チューブなどを使用することもできる。熱収縮チューブ４の内径は、人造葉２の茎部２ａとヘアーピン３を多少密に挿入可能な程度である。
【００１９】
人造葉２は、細い金属線を葉脈部内に配置し合成樹脂により葉を成形し、その表面に起毛層を形成したもので、例えば、図のように、３枚の葉の茎を束ねるように絡ませるようにねじって連結する。そして、その３枚の葉の人造葉２上の中央に、造花１を接着剤で接着する。
【００２０】
このような造花付きの人造葉２は、ヘアーピン３の曲折部近傍に取着されるが、その取着には、上記のように熱収縮チューブ４が使用される。熱収縮チューブ４には、ヘアーピン３の外径と人造葉２の茎部２ａの外径を加えた長さの約１．１〜１．３倍の内径を持つ熱収縮チューブ４を使用すると、人造葉２の茎部２ａを熱収縮チューブ４内に挿入しやすく、チューブの収縮締結効果が良好である。熱収縮チューブ４の外周部には、上述のように、植物の茎に似た外観が得られるように、ナシ地（ザラザラ面）が形成されると共に、植物色に着色されている。
【００２１】
花飾りを組付ける場合、図２に示すように、先ず、ヘアーピン３に、上記の熱収縮チューブ４を通し、ヘアーピン３の曲折部近傍に熱収縮チューブ４を位置させた状態で、図３のように、熱収縮チューブ４内に造花１付き人造葉２の茎部２ａを差し込む。
【００２２】
次に、この状態の熱収縮チューブ４に、ヘアードライヤーなどを用いて熱風を当てる。５〜１０秒間熱風を熱収縮チューブ４に当てて、熱収縮チューブ４が約９０℃に加熱されると、熱収縮チューブ４はその内径が４０〜５０％に収縮され、これにより、その内側のヘアーピン３と人造葉２の茎部２ａを熱収縮チューブ４が締付け締結し、そこには花飾りの茎部５が、ヘアーピン３と一体的に形成される。
【００２３】
このように、ヘアーピン３に通した熱収縮チューブ４内に、造花付きの人造葉２の茎部２ａを差し込んだ状態で、ヘアードライヤーなどにより熱風を熱収縮チューブ４に吹き付けて加熱するだけの簡単な操作で、花飾りを組付けることができる。
【００２４】
したがって、従来のように、細い金属線を巻回して捲着していた場合に比べ、非常に簡単に且つ効率よく花飾りやコサージュを製作することができる。また、通常の人が花飾りのキットなどを購入して自分で人造葉２や造花１の茎部とヘアーピン３を締結する際にあっても、家庭にあるヘアードライヤーを用いて熱収縮チューブ４に熱を加えて収縮するだけの簡単な操作により、花飾りを簡単に作ることができる。
【００２５】
さらに、熱収縮チューブ４の外周部にナシ地と植物色を付した熱収縮チューブ４を使用するため、違和感のない外観の茎部５とすることができ、合成樹脂製の熱収縮チューブ４に拘らず、実際の植物の茎に近い状態の茎部５を形成することができる。
【００２６】
なお、上記実施形態では、髪に挿す花飾りについて説明したが、胸などに留めるコサージュに本発明を適用することもできる。この場合、コサージュに使用する複数の人造葉の茎や造花の茎をまとめて、枝部となる線状体と共に熱収縮チューブに差し込み、ヘアードライヤーなどで熱収縮チューブを収縮させて、それらの茎部及び枝部を締結し、その取着部に安全ピンまたはコサージュピン等を取り付けて、コサージュを形成することができる。
【図面の簡単な説明】
【００２７】
【図１】本発明の一実施形態を示す花飾りの斜視図である。
【図２】ヘアーピンと熱収縮チューブの斜視図である。
【図３】花飾りを組付ける際の分解斜視図である。
【符号の説明】
【００２８】
１  造花
２  人造葉
２ａ  茎部
３  ヘアーピン
４  熱収縮チューブ
【図１】
2007262633.tif 000003
【図２】
2007262633.tif 000004
【図３】
2007262633.tif 000005